(57)【要約】【課題】光源モジュールの固定を容易に行うことができる照明装置を提供する。【解決手段】照明装置１は、第１方向に延伸する外筒部４１と、第１方向に延伸し且つ外筒部４１内に配される内筒部４３と、外筒部４１と内筒部４３とにおける第１方向の両端であって外筒部４１と内筒部４３との間を塞ぐ蓋部４５，４７と、内筒部４３と外筒部４１と蓋部４５，４７とで形成される空間内４ａに配されている光源モジュール２とを備える。【選択図】図３
2018181738.tif 000002
【特許請求の範囲】
【請求項１】
第１方向に延伸する外筒部と、
前記第１方向に延伸し且つ前記外筒部内に配される内筒部と、
前記外筒部と前記内筒部とにおける前記第１方向の両端であって前記外筒部と前記内筒部との間を塞ぐ蓋部と、
前記内筒部と前記外筒部と前記蓋部とで形成される空間内に配されている光源モジュールと
を備える照明装置。
【請求項２】
光源モジュールは、複数個の導電片が前記第１方向に間隔をおいて配され且つ前記第１方向に隣接する前記導電片同士がＬＥＤにより連結されてなり、
前記ＬＥＤの光出射方向が前記外筒部側であり、
前記外筒部は透光性を有する
請求項１に記載の照明装置。
【請求項３】
前記導電片は、前記外筒部の周方向に沿って延伸し、前記第１方向から見ると環状又は環状に近い形状をしている
請求項２に記載の照明装置。
【請求項４】
前記外筒部と前記内筒部との前記第１方向の一端側に位置する一端側蓋部は有底筒状をし、当該一端側蓋部は、筒部分における底部分と反対側の端面が前記外筒部と前記内筒部の一端側の端面に当接すると共に前記内筒部の内部の空間に連通する貫通孔を前記筒部分に有し、
前記外筒部と前記内筒部との前記第１方向の他端側に位置する他端側蓋部は、前記外筒部と前記内筒部の他端側の端面に当接すると共に前記内筒部の内部の空間に連通する貫通孔を有する
請求項１〜３の何れか１項に記載の照明装置。
【請求項５】
前記一端側蓋部には、口金が装着されるアダプタが取付けられ、
当該アダプタに、前記口金を介して受電して前記光源モジュールを点灯させるための電気回路が収容されている
請求項４に記載の照明装置。
【請求項６】
前記一端側蓋部は、前記光源モジュールと前記電気回路とを接続するケーブル用の通路を前記筒部分と底部分とに跨るように有する
請求項５に記載の照明装置。
【発明の詳細な説明】
【技術分野】
【０００１】
本発明は、バルブ体内に光源モジュールを収容してなる照明装置に関する。
【背景技術】
【０００２】
近年、環境意識の高まりから、省電力化に優れたＬＥＤを光源に使用した照明装置が提案されている（例えば特許文献１）。特許文献１の図５０〜図５３に記載の照明装置は、角柱状の筒部と錐状の錐状部とを有する支持部材の外面に発光ダイオードを実装した発光ダイオードユニットと、前記発光ダイオードユニットを内部に配置する円筒状のガラスバルブとを備え、ガラスバルブは、発光ダイオードユニットの筒部の内部に設けられた内部バルブと、発光ダイオードユニットの筒部の外部に設けられた外部バルブとを有し、発光ダイオードユニットの筒部を外部バルブと内部バルブとの間の空間に配置している。
【先行技術文献】
【特許文献】
【０００３】
【特許文献１】特開２０１４−１６５０８５号公報
【発明の概要】
【発明が解決しようとする課題】
【０００４】
上述の照明装置では、発光ダイオードユニットの筒部を外部バルブと内部バルブとの間の空間に配置しているが、発光ダイオードユニットは支持体を介してガラスバルブに固定されている。このため、支持体のガラスバルブへの固定が煩雑であるという問題がある。
本発明は、光源モジュールの固定を容易に行うことができる照明装置を提供することを目的とする。
【課題を解決するための手段】
【０００５】
本発明に係る照明装置は、第１方向に延伸する外筒部と、前記第１方向に延伸し且つ前記外筒部内に配される内筒部と、前記外筒部と前記内筒部とにおける前記第１方向の両端であって前記外筒部と前記内筒部との間を塞ぐ蓋部と、前記内筒部と前記外筒部と前記蓋部とで形成される空間内に配されている光源モジュールとを備える。
【発明の効果】
【０００６】
上述の構成によれば、光源モジュールが外筒部と内筒部と２つの蓋部とに囲まれた空間内に光源モジュールが配されるため、光源モジュールの固定を容易に行うことができる。
【図面の簡単な説明】
【０００７】
【図１】実施形態に係る照明装置の分解状態を口金と反対側から見た斜視図である。
【図２】実施形態に係る照明装置の分解状態を口金側から見た斜視図である。
【図３】実施形態に係る照明装置を第１の面で切断した縦断面図である。
【図４】実施形態に係る照明装置を第２の面で切断した縦断面図である。
【図５】実施形態に係るバルブ体を分解した状態の縦断面斜視図である。
【図６】実施形態に係る口金側蓋体とアダプタと口金を分解した状態を口金と反対側から見た縦断面斜視図である。
【図７】実施形態に係る口金側蓋体とアダプタと口金を分解した状態を口金側から見た縦断面斜視図である。
【図８】他の形態の要部を示す縦断面図である。
【発明を実施するための形態】
【０００８】
＜概要＞
実施形態の一態様に係る照明装置は、第１方向に延伸する外筒部と、前記第１方向に延伸し且つ前記外筒部内に配される内筒部と、前記外筒部と前記内筒部とにおける前記第１方向の両端であって前記外筒部と前記内筒部との間を塞ぐ蓋部と、前記内筒部と前記外筒部と前記蓋部とで形成される空間内に配されている光源モジュールとを備える。
実施形態の別態様に係る照明装置において、光源モジュールは、複数個の導電片が前記第１方向に間隔をおいて配され且つ前記第１方向に隣接する前記導電片同士がＬＥＤにより連結されてなり、前記ＬＥＤの光出射方向が前記外筒部側であり、前記外筒部は透光性を有する。これにより、絶縁体に配線パターンを形成するような必要がなくなる。
実施形態の別態様に係る照明装置において、前記導電片は、前記外筒部の周方向に沿って延伸し、前記第１方向から見ると環状又は環状に近い形状をしている。これにより、周方向の全方位に光を出射するように構成できる。
実施形態の別態様に係る照明装置において、前記外筒部と前記内筒部との前記第１方向の一端側に位置する一端側蓋部は有底筒状をし、当該一端側蓋部は、筒部分における底部分と反対側の端面が前記外筒部と前記内筒部の一端側の端面に当接すると共に前記内筒部の内部の空間に連通する貫通孔を前記筒部分に有し、前記外筒部と前記内筒部との前記第１方向の他端側に位置する他端側蓋部は、前記外筒部と前記内筒部の他端側の端面に当接すると共に前記内筒部の内部の空間に連通する貫通孔を有する。これにより、点灯時の光源モジュールの熱を効率よく放出できる。
実施形態の別態様に係る照明装置において、前記一端側蓋部には、口金が装着されるアダプタが取付けられ、当該アダプタに、前記口金を介して受電して前記光源モジュールを点灯させるための電気回路が収容されている。これにより、簡単な構成で電気回路を収容できる。
実施形態の別態様に係る照明装置において、前記一端側蓋部は、前記光源モジュールと前記電気回路とを接続するケーブル用の通路を前記筒部分と底部分とに跨るように有する。これによりケーブルを外部に露出させずに配することができる。
【０００９】
１．全体構成
本実施形態に係る照明装置１の概要について主に図１〜図４を用いて説明する。
ここでの照明装置１は、所謂、バルブ型ランプである。
照明装置１は図３及び図４に示すように光源モジュール２をバルブ体４の収容空間４ａ内に備える。照明装置１はアダプタ６と口金８とを備える。口金８はアダプタ６に装着され、アダプタ６がバルブ体４に取り付けられている。照明装置１は電気回路９を備える。電気回路９は口金８を介して受電して光源モジュール２を点灯させる。電気回路９はバルブ体４とアダプタ６と口金８とに囲まれた空間内に収容されている。
換言すると、照明装置１は、バルブ体４とアダプタ６とから構成される筒状筐体に口金８が取り付けられ、内部に光源モジュール２を収容する。本実施形態では、筒状筐体と口金８とで構成される外囲器内に電気回路９が収容されている。
【００１０】
２．各部構成
（１）光源モジュール
主に図１〜図４を用いて説明する。
光源モジュール２は、図１及び図２に示すように複数個のＬＥＤ２１と、複数個のＬＥＤ２１が実装される配線体２３とを備える。なお、光源モジュール２は配線体２３に接続されたケーブル２５を介して電気回路９に接続される。
【００１１】
配線体２３は横断面形状が環状に近い形状をした筒状をしている。環状としては、例えば、円形状、楕円形状、長円形状、多角形状等があり、ここでは、八角環状をしている。
配線体２３は、ＬＥＤ２１を実装する面に導電性を有する導電片を複数個有し、これらが隙間をあけて連結されてなる。ここでの導電片は、導電材料からなる短環状片２３１により構成される。
短環状片２３１は、配線体２３の筒軸方向の長さが短く、横断面形状が八角形の環状をしている。配線体２３は複数個の短環状片２３１を筒軸方向に隙間を空けて備える。筒軸方向に隣接する短環状片２３１はＬＥＤ２１により接続される。
つまり、筒軸方向に隙間を空けて配された短環状片２３１同士が、隙間を跨ぐように短環状片２３１の平坦な外面に実装されたＬＥＤ２１により接続されている。これにより、光源モジュール２は複数個のＬＥＤ２１が２次元配置された面状発光モジュールとして構成されることになる。
【００１２】
なお、平坦な面は八角環状を形成する８個の頂角間に位置する面である。また、短環状片２３１は矩形導電片を屈曲させて構成される。
光源モジュール２は、平板状の矩形導電片が隙間を空けて複数配列された平板状態であるときの配線体に、複数のＬＥＤ２１が所定位置に必要数実装され、その後、頂角となる所定の７ヶ所（辺）を隣接する平坦面間の相対角度が略１３５[°]となるように屈曲されて形成される。つまり、八角環状の８頂角の内の７頂角は、矩形導電片の屈曲点であり、他の１頂角は平板時の配線体が八角環状に屈曲成形されて長手方向の両端部が突き当った突き当て点（辺）となっている。
電気回路９と接続されるケーブル２５は配線体２３における筒軸方向の両端に位置する短環状片２３１ａ，２３１ｂに接続される。このため、両端の短環状片２３１ａ，２３１ｂは高電位側端子又は低電位側端子となる。
【００１３】
光源モジュール２は、上述のように、配線体２３に複数個のＬＥＤ２１を実装してなるが、換言すると、光源モジュール２は、一対の導電片（２３１）同士に複数個のＬＥＤ２１が跨るように並列に実装されたブロックに対して、さらに導電片（２３１）を複数個のＬＥＤ２１を介して直列に接続することで構成される。
【００１４】
（２）バルブ体
主に図５を用いて説明する。なお、図５では、内筒体４３を外筒体４１に対して第１方向（筒軸の延伸する方向である。）にずらして表し、図３におけるバルブ体に対して４５[°]だけ筒軸廻りに回転させている。
バルブ体４は、２重筒構造をし、図３及び図４に示すように外筒体４１の内周壁と内筒体４３の外周壁との周壁間に収容空間４ａを有する。バルブ体４は２以上の部材から構成されている。ここでのバルブ体４は、第１方向に延伸する外筒体４１と、第１方向に延伸し且つ外筒体４１の内部に配される内筒体４３と、外筒体４１と内筒体４３との第１方向の端部であって外筒体４１と内筒体４３との間を塞ぐ蓋体４５，４７とから構成される。
第１方向の一端側（口金側）に位置する蓋体４７は、正確には、光源モジュール２と電気回路９とを接続するケーブル２５用の通路を確保するように、外筒体４１と内筒体４３との間を塞いでいる。このように、蓋体４５，４７は、収容空間４ａ内に光源モジュール２が留まるように、外筒体４１と内筒体４３との間を塞げばよく、外筒体４１と内筒体４３との間を完全に塞がれなくてもよく、一部に塞がれていない箇所があってもよい。
なお、外筒体４１は本発明の外筒部の一例に相当し、内筒体４３は本発明の内筒部の一例に相当する。蓋体４５は、口金８から遠い側（他端側）にあり、本発明の他端側蓋部の一例に相当する頂部側蓋体とする。蓋体４７は、口金８に近い側（一端側）にあり、一端側蓋部の一例に相当する口金側蓋体とする。
【００１５】
（２−１）外筒体及び内筒体
ここでの外筒体４１は横断面形状が円（円環）状をしている。外筒体４１は透光性材料により構成されている。透光性材料としては、ガラス材料、樹脂材料等がある。ここでは透光性樹脂の一例であるポリカーボネートが使用されている。
ここでの内筒体４３は横断面形状が円（円環）状をしている。内筒体４３を構成する材料は特に限定するものではない。ここでは、内筒体４３は外筒体４１と同じポリカーボネートが使用されている。
外筒体４１と内筒体４３とは、バルブ体４とした際に、横断面において同心円となるように配される。ここでの外筒体４１と内筒体４３はその長さが略同じに構成されている。
【００１６】
（２−２）頂部側蓋体
頂部側蓋体４５は、図３及び図４に示すように内筒体４３の内側に存在する空間４３ａとバルブ体４の外部とを連通する状態で、外筒体４１と内筒体４３との端面を覆う。頂部側蓋体４５は外筒体４１と内筒体４３との形状に対応して、中央に貫通孔４５ｂを有する環状（円環状）をしている。頂部側蓋体４５は、図３及び図４に示すように、外径は外筒体４１の外径と一致し、内径は内筒体４３の内径内と一致している。
頂部側蓋体４５における口金８側に位置する面は円筒状に突出する突出部４５ａを有する。突出部４５ａは外筒体４１と内筒体４３との間の空間に嵌る。なお、頂部側蓋体４５における口金８側と反対側の面は平坦状をしている。
頂部側蓋体４５を構成する材料は特に限定するものではないが、透光性材料により構成するのが好ましい。これにより、照明装置１の頂部側端部（頂部側蓋体４５）が暗くなるのを防止できる。なお、頂部側蓋体４５の材料としてポリカーボネートが利用されている。
【００１７】
（２−３）口金側蓋体
口金側蓋体４７は、少なくともは外筒体４１と内筒体４３との第１方向の口金８側端部であって外筒体４１と内筒体４３との間へと突出する突出部４７ａを有している。突出部４７ａは、筒部４７１における口金８が存在する側と反対側に位置する端面から、外筒体４１と内筒体４３との間に入り込むように突出している。
口金側蓋体４７は、筒状をする筒部４７１と、筒部４７１における筒軸の延伸する方向の中間に位置する壁部４７３とを備える。口金側蓋体４７は、換言すると、（第１）筒部分と底部分とを有する有底筒状部を有する。そして、ここでの口金側蓋体４７は有底筒状部の底部の外周縁から（第１）筒部分と反対側に延伸する（第２）筒部分を有する。
【００１８】
筒部４７１において、壁部４７３を基準として、表側に位置する部分を表筒部分４７５とし、裏側に位置する部分を裏筒部分４７７とする。なお、裏側は口金８が存在する側である。
表筒部分４７５は外筒体４１の外周形状に対応した外周形状を有している。ここでの外周形状が円形状である。表筒部分４７５の外周は口金８側に移るにしたがって縮径する傾斜面となっている。
表筒部分４７５は、図４に示すように、内筒体４３の内周形状に対応した内周形状を大部分で有している。ここでの内周形状は円形状であり、口金８側に移っても内径は変化していない。つまり、表筒部分４７５は略円筒状をしている。
なお、表筒部分４７５の口金８と反対側の端縁の内径は内筒体４３の内径と一致し、表筒部分４７５の口金８と反対側の端縁の外径は外筒体４１の外径と一致する。
なお、上述したが、突出部４７ａは表筒部分４７５における口金８と反対側の端面から突出している。図４に示すように、表筒部分４７５の突出部４７ａ側の端面における突出部４７ａの外周側が外筒体４１の端面に当接又は近接する。表筒部分４７５の突出部４７ａ側の端面における突出部４７ａの内周側が内筒体４３の端面に当接又は近接する。これにより意匠性が高められる。
【００１９】
口金側蓋体４７は、内筒体４３の筒軸上に存在する空間４３ａと口金側蓋体４７の外部とを連通可能とする貫通孔４７５ａを有する。貫通孔４７５ａは筒状部６１の厚み方向、すなわち内筒体４３の筒軸から径方向に貫通し、表筒部分４７５に設けられている。貫通孔４７５ａは周方向に間隔を置いて複数個設けられている。ここでの貫通孔４７５ａは４個である。
【００２０】
口金側蓋体４７は、図３に示すように、光源モジュール２と電気回路９とを接続するケーブル２５用の通路４７５ｂを有している。バルブ体４にした状態では通路４７５ｂは外部に露出しておらず、図５に示すように口金側蓋体４７のケーブル２５の導出口だけが見える。なお、導出口はアダプタ６を口金側蓋体４７の取り付けた状態ではアダプタ６の内部に位置する。
表筒部分４７５は、図１に示すように筒軸方向に向かって張り出す張出部４７５ｃを１個又は複数個有する。ここでの張出部４７５ｃは、２個あり、周方向に間隔(例えば等間隔である。）で設けられている。張出部４７５ｃは、図４に示すように、周方向に隣接する貫通孔４７５ａ間に対応して設けられている。張出部４７５ｃは、図３に示すように、口金８側に移るにしたがって張り出し量が大きくなっている。なお、張出部４７５ｃの内表面は直線状に傾斜している。
通路４７５ｂは、図３及び図６に示すように、突出部４７ａの一部が欠けた部分から、張出部４７５ｃの内部を通り、壁部４７３を貫通して構成されている。なお、２本の通路４７５ｂのうちの一本を一対のケーブル２５が通る。
【００２１】
裏筒部分４７７は、図５に示すように、直管円筒状をしている。なお、裏筒部分４７７はアダプタ６の表筒状部分６５と嵌合する。ここでの裏筒部分４７７は、図３及び図４に示すように表筒状部分６５の表領域６５ｂに外嵌する。
【００２２】
（３）アダプタ
主に、図６及び図７を用いて説明する。
アダプタ６は有底筒状をしている。アダプタ６は筒状部６１と底部６３とを有している。筒状部６１は、バルブ体４に装着するための装着部と、口金８を取り付けるための取付部とを有している。アダプタ６は、電気回路９を固定する固定部を有している。
【００２３】
（３−１）筒状部
筒状部６１はバルブ体４の形状や口金８の形状に対応して構成されている。ここでの筒状部６１は略円筒状をしている。筒状部６１におけるバルブ体４側に位置する部分を表筒状部分６５とし、バルブ体４と反対側に位置する部分を裏筒状部分６７とする。
【００２４】
表筒状部分６５は筒軸方向における中間部分に突出領域６５ａを有している。突出領域６５ａは周方向の全周に亘って外方へと突出している。
表筒状部分６５における突出領域６５ａよりもバルブ体４側部分は、その外径が口金側蓋体４７の裏筒部分４７７の内径と一致している。つまり、表筒状部分６５における突出領域６５ａよりもバルブ体４側に位置する表領域６５ｂは口金側蓋体４７の裏筒部分４７７に内嵌する。換言すると、表領域６５ｂはアダプタ６をバルブ体４に装着するための装着部を構成する。突出領域６５ａは裏筒部分４７７のストッパとして機能する。
表領域６５ｂの長さは口金側蓋体４７の裏筒部分４７７の長さと略一致している。突出領域６５ａの外径は、図３及び図４に示すように、口金側蓋体４７の裏筒部分４７７の外径と略一致している。これにより、アダプタ６をバルブ体４に装着した際の意匠を向上させる。
【００２５】
裏筒状部分６７の外周には口金８を取り付けるための構成が設けられている。ここでの口金８は所謂Ｅタイプであり、取り付けるための構成としてねじ山６７ａが設けられている。なお、裏筒状部分６７の外周には、電気回路９と口金８のシェル部８１とを電気接続するケーブル（図示省略）用の溝が設けられている。
【００２６】
（３−２）底部
底部６３は、平板状をし、裏筒状部分６７の筒軸と直交するようにして裏筒状部分６７の開口を塞ぐ。
底部６３は、口金８のシェル部８１と接続するケーブル（図示省略）用の貫通溝６３ａと、口金８のアイレット部８３と接続するケーブル（図示省略）用の貫通孔６３ｂとを有している。
【００２７】
（３−３）内部
アダプタ６は、筒状部６１と底部６３とに跨るようにリブ６９を有している。リブ６９は筒状部６１の筒軸に向かって突出し且つ筒状部６１の筒軸方向に沿って延伸する。リブ６９は周方向に沿って間隔をおいて複数個設けられている。
【００２８】
（４）口金
口金８はここではＥタイプが使用される。つまり、口金８は、ねじ部を有するシェル部８１と、絶縁部８５を介してシェル部８１に取付けられたアイレット部８３とを有する。なお、電気回路９と接続するケーブル等の図示は省略している。
【００２９】
（５）電気回路
電気回路９は口金８を介して受電した電力を利用してＬＥＤ２１を発光させる点灯装置（不図示）を構成する回路部品の一部である。電気回路９は、回路用の複数個の電子部品９１と、複数個の電子部品９１を実装する回路基板９３とを備える。なお、ここでの回路は、ＬＥＤ２１に過電流が供給されるのを防止する保護回路である。回路基板９３は、電気回路９と光源モジュール２とを接続するケーブル２５と、電気回路９と口金８とを接続するケーブルとにより支持されている。
【００３０】
３．装置組み立てについて
（１）バルブ体４を構成する外筒体４１と内筒体４３と頂部側蓋体４５とを一体化させる。なお、一体化には接着剤が利用される。これにより、外筒体４１と内筒体４３における筒軸方向において、周壁間の収容空間４ａの一端が開口する状態となる。
（２）外筒体４１と内筒体４３における筒軸方向の収容空間４ａの開口端から光源モジュール２を挿入する。そして、口金側蓋体４７を外筒体４１と内筒体４３とに装着して、一体化する。この際、光源モジュール２に接続されたケーブル２５を口金側蓋体４７の配線用の通路４７５ｂを挿通させる。これにより、光源モジュール２がバルブ体４内の収容空間４ａに収容される。
このように光源モジュール２の収納は、外筒体４１と内筒体４３との間に光源モジュール２を挿入し、口金側蓋体４７を装着することで行われる。
収容空間４ａの大きさは光源モジュール２の大きさに合せて設計されており、空間内で光源モジュール２が大きく移動するようなことはない。また、収容空間４ａが光源モジュール２に合せた大きさであるため、光源モジュール２を構成する各短環状片２３１が内筒体４３の外周壁の一部分や外筒体４１の内周壁の一部分への部分的な接触等により支持される。これにより、配線体２３の短環状片２３１同士の接続が維持される。
【００３１】
（３）バルブ体４から導出するケーブル２５と、口金８用のケーブルと接続する状態の電気回路９を内部に収容するように、アダプタ６をバルブ体４に装着する。この際、アダプタ６の貫通溝６３ａと貫通孔６３ｂから口金８と接続されるケーブルを導出させておく。
（４）アダプタ６から導出するケーブルと接続するように、口金８をアダプタ６に取り付ける。
【００３２】
４．点灯時
照明装置１を点灯させると、ＬＥＤ２１の発光により光源モジュール２の温度が上昇する。この熱は、光源モジュール２が内筒体４３や外筒体４１と部分的に接触しているため、内筒体４３と外筒体４１に伝わる。ここで、内筒体４３の内部に存在する空間４３ａは、頂部側蓋体４５の貫通孔４５ｂと、口金側蓋体４７の貫通孔４７５ａとにより、バルブ体４の外部と連通状態にあるため、内筒体４３に伝わった熱が対流により空間４３ａから外部に放出される。外筒体４１に伝わった熱が外筒体４１の外周壁から外気に放出される。これにより、光源モジュール２の過度な温度上昇を抑制することができる。
なお、電気回路９が収容されている空間は、口金側蓋体４７の壁部４７３とアダプタ６と口金８とにより密閉状態に近い状態となっているため、口金側蓋体４７に貫通孔４７５ａがあっても、感電等の安全性は確保される。
【００３３】
以上、実施形態を説明したが、この実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００３４】
＜変形例＞
１．照明装置
実施形態の照明装置１はバルブ型ランプであったが、本発明に係る照明装置は、例えば電球型ランプ、直管状ランプ等の他のランプにも適用できる。
なお、実施形態では、光源モジュール２のＬＥＤ２１の数、発光色や照明装置としての配向特性等について詳細に説明していないが、照明装置の仕様に合わせて適宜決定される。
【００３５】
２．光源モジュール
導電片の一例である短環状片２３１はＬＥＤ２１だけで連結されている。しかしながら、導電片はＬＥＤ２１だけでなく他の部材により連結されてもよい。他の部材が例えば導電性材料で構成される場合、ＬＥＤと同様に１対の導電片を離散的に接続することになる。他の部材が例えば絶縁材料で構成される場合、２以上の導電片に渡って複数の導電片を連続的に接続してもよい。
【００３６】
実施形態の配線体２３は、複数個の短環状片（導電片）２３１の連結方向に湾曲していない（つまり、平板状である。）が、多角形状に屈曲してもよいし、円弧状に湾曲してもよい。例えば、配線体の連結方向の一端をバルブ体４の筒軸に近づくように屈曲させてもよい。屈曲させた光源モジュール２Ａを用いる場合を図８の（ａ）を用いて説明する。
【００３７】
配線体２３Ａは、複数個の短環状片２３１ＡがＬＥＤ（２１）により連結され、頂部側蓋体４５Ａ側の端に位置する複数の短環状片２３１Ａａが筒軸に向かって屈曲した状態で配され、傾斜する複数の短環状片２１３Ａａの間にＬＥＤ（２１）が実装される。頂部側蓋体４５Ａは、短環状片２３１Ａａの傾斜に合わせて、内筒部４５１Ａと外筒部４５３Ａと蓋部４５５Ａとを有している。傾斜する複数の短環状片２１３Ａａの間に実装されたＬＥＤ（２１）は筒軸に対して傾斜した外筒部４５３Ａの面方向に光を照射し、照明装置の上方(口金と反対側）への配光性が向上する。
配線体２３の端部をバルブ体４の筒軸に近づくように屈曲させる構造を口金側蓋体の側に施せば、照明装置の下方(口金側）への配光性が向上する。
【００３８】
蓋部４５５Ａは中央に貫通孔４５５Ａａを有している。内筒部４５１Ａは内筒体４３Ａに、外筒部４５３Ａは外筒体４１Ａに取り付けられる。
ここでは一方端の短環状片２３１Ａａだけが屈曲しているが、例えば、両端の短環状片（導電片）が屈曲してもよいし、連結方向の中間に位置する短環状片が湾曲又は屈曲してもよい。
実施形態では導電片である短環状片が筒軸方向に複数配列された例で説明したが、筒軸方向に延伸した複数の導電片が、周方向に沿って複数配列され、周方向に隣接する導電片同士が複数のＬＥＤにより連結される形態も可能である。つまり、筒体を筒軸方向に沿って竹割したような形状の複数の導電片を、竹割する前の筒体形状となるように配し、周方向に隣接する導電片をＬＥＤにより連結した形態も可能ある。
【００３９】
実施形態の光源モジュール２は外筒体４１側にＬＥＤ２１を備えているが、例えば、内筒体側にＬＥＤを備えてもよいし、外筒体側と内筒体側の両面にＬＥＤを備えてもよい。
実施形態の導電片は八角環状をしているが、例えば、平板形状の状態で、ＬＥＤにより片面又は両面で連結されてもよい。この場合、平板状の光源モジュールとして構成されることになる。なお、このような平板状の光源モジュールの場合、対向配置される一対の平板と、一対の平板の周縁開口を塞ぐリング状の蓋体とでバルブ体（光源収容体）を構成し、一対の平板間に光源モジュールを配すればよい。なお、このような平板状の光源モジュールを利用する照明装置として、例えば、シーリングライトがある。
【００４０】
実施形態の配線体２３は金属板により構成されていたが、例えば、樹脂板の表面に導電性処理を施した導電片により配線体を構成してもよい。また、光源モジュールは、表面に配線パターンを有する樹脂板と、ＬＥＤとから構成されたものであってもよい。
実施形態の短環状片２３１は、周方向に連続していない環状に近い形状をしているが、周方向に連続する環状をしてもよい。
【００４１】
３．バルブ体
（１）光学特性
実施形態では、外筒体４１、内筒体４３及び頂部側蓋体４５は透光性材料により構成されているが、光の出射方向が内筒体の内側であるような場合、外筒体は透光性材料により構成されなくてもよい。また、筒体の周方向に限定された角度範囲、例えば照射角θの範囲に配光すればよい場合、外筒体４１は周方向に所定角度（θ）の透光性円筒状片と周方向に所定角度（３６０°−θ）の非透光性円筒状片を組み合わせた複合型円筒とした部分的な光照射が可能な構造としてもよい。つまり、外筒体と内筒体とは照明装置として求められる配光特性や用途に合せて適宜設計すればよい。
光源モジュールを配線体で構成して複数の導電片の間隔が大きい場合は、導電片の間から漏れた光を有効活用するため、光出射方向と反対側に位置する筒体も透光性材料により構成してもよいし、光出射方向と反対側に位置する筒体の内周面又は外周面を反射面としてもよい。
外筒体、内筒体及び頂部側蓋体は、外面（外周面）や内面（内周面）に対して、レンズ等の配向素子を設けてもよいし、マイクロレンズ等の拡散素子を設けてもよい。内筒体の筒軸に光反射体（筒）を設けてもよい。なお、配向素子や拡散素子を設ける領域(広さ）は特に限定するものでなく、用途（配光特性）によって適宜決定すればよい。
外筒体、内筒体及び頂部側蓋体は、外面（外周面）や内面（内周面）に対して、シボ加工等により拡散機能を有してもよい。例えば、外筒体の管軸方向の両端領域が拡散機能を有してもよいし、外筒体の全領域が拡散機能を有してもよい。なお、両端領域が拡散機能を有することで、ランプの上下方向の配光を向上できる。
【００４２】
（２）放熱特性
バルブ体は、光源モジュールにおける光出射方向と反対側に位置する筒体が対流により熱放出できる構造を有していればよい。例えば、実施形態において、内筒体４３の内側に間隔を置いて円柱状体を配し、内筒体４３と円柱状体との間の空間とバルブ体の外部とが連通可能としてもよい。バルブ体４の収容空間は、１つでもよいし、複数に区画されていてもよい。なお、光源モジュールにおける光出射方向と反対側に位置する筒体は熱伝導性材料で構成してもよい。熱伝導性材料としては、アルミニウム等の金属材料、高熱伝導ＰＣ（ポリカーボネート）、高熱伝導ＰＢＴ（ポリブチレンテレフタレート）、高熱伝導ポリアミド（ナイロン）等の樹脂材料等がある。金属材料を利用する場合、絶縁性の熱シートや樹脂等を筒体と配線体の間に挿入することにより、導電性の配線体を利用しても絶縁性は確保される。
【００４３】
（３）形状
実施形態の外筒体４１及び内筒体４３は円筒状をしているが、例えば、外筒体及び内筒体の少なくとも一方を多角筒状としてもよい。また、外筒体又は内筒体は、内周面と外周面の横断面形状が同じ（実施形態は両周面とも円形状である。）であってもよいし、異なってもよい。
（４）構造
実施形態のバルブ体４は、外筒体４１、内筒体４３、頂部側蓋体４５及び口金側蓋体４７を備えていたが、例えば、外筒体と内筒体と頂部側蓋体とを一体成形してなる一部材としてもよいし、外筒体及び内筒体の何れか一方と頂部側蓋体とを一体成形したなる一部材としてもよいし、外筒体と内筒体と口金側蓋体とを一体成形してなる一部材としてもよいし、外筒体及び内筒体の何れか一方と口金側蓋体とを一体成形してなる一部材としてもよい。
【００４４】
バルブ体の他の形態を図８の（ｂ）を用いて説明する。
内筒体４３Ｂは、直管筒状部４３１Ｂと傾斜筒状部４３３Ｂと蓋部４３５Ｂとを有している。傾斜筒状部４３３Ｂには貫通孔４３７Ｂが設けられている。
口金側蓋体４７Ｂは、内筒体４３Ｂ側が内筒体４３Ｂの傾斜筒状部４３３Ｂの外周面に当接する内周面４７１Ｂを有する筒状をしている。口金側蓋体４７Ｂは内筒体４３Ｂ側の端面に、内筒体４３Ｂと外筒体（４１）との間に張り出す張出部４７３Ｂを有する。口金側蓋体４７Ｂは、ケーブル２５用の通路を内筒体４３Ｂとで構成するための溝４７５Ｂを有している。ここでは、溝４７５Ｂは周方向に間隔をおいて２個設けられている。口金側蓋体４７Ｂは、内筒体４３Ｂの貫通孔４３７Ｂに対応して貫通孔４７７Ｂを有している。
【００４５】
実施形態のバルブ体４は光源モジュール２用の位置決め部を有していないが、位置決め部を有してもよい。位置決め部としては、例えば、口金側蓋体や頂部側蓋体から収容空間内に突出する凸部や、多角筒状をしている光源モジュールの場合、内筒体の横断面形状を同じ多角形状にする等で実施できる。
【００４６】
実施形態の頂部側蓋体４５は外筒体４１と内筒体４３との間に進入する突出部４５ａを有しているが、頂部側蓋体は、突出部を有しなくてもよく、外筒体４１と内筒体４３との端面に当接する平板状であってもよい。実施形態の口金側蓋体４７は、外筒体４１と内筒体４３との間に進入する突出部４５ａを有しているが、突出部はなくてもよく、外筒体４１と内筒体４３との端面に当接する平板状であってもよい。
【００４７】
４．アダプタ
実施形態のアダプタ６はバルブ体４の口金側蓋体４７に装着されていたが、例えば、バルブ体を構成する口金側蓋体と一体化されてもよい。一体化した形態を図８の（ｃ）を用いて説明する。
バルブ体は、外筒体４１Ｃ、内筒体４３Ｃ、頂部側蓋体及び口金側蓋体４７Ｃを備える。ここでの外筒体４１Ｃ及び頂部側蓋体は実施形態の外筒体４１及び頂部側蓋体と同じ構成をしているため、その説明は省略する。
内筒体４３Ｃは、図８の（ｂ）で示すバルブ体の他の形態で説明した内筒体４３Ｂと同じ構成をしている。つまり、内筒体４３Ｃは、直管筒状部４３１Ｃ、傾斜筒状部４３３Ｃ及び蓋部４３５Ｃを有し、貫通孔４３７Ｃを傾斜筒状部４３３Ｃに有する。
口金側蓋体４７Ｃは、実施形態のアダプタ６と、図８の（ｂ）で示すバルブ体の他の形態で説明した口金側蓋体４７Ｂとを結合したような構成をしている。
【００４８】
口金側蓋体４７Ｃは有底筒状をしている。口金側蓋体４７Ｃにおいて、筒軸方向における外筒体４１Ｃ側（光源モジュール側）に位置する光源側筒部４７１Ｃが蓋機能を有し、筒軸方向における光源側筒部４７１Ｃと反対側に位置する口金側筒部４７３Ｃが口金装着機能を有する。
光源側筒部４７１Ｃにおける内筒体４３Ｃ側の端部は、内筒体４３Ｃの傾斜筒状部４３３Ｃと当接し、傾斜筒状部４３３Ｃとの間にケーブル２５用の通路４７５Ｃを形成する。なお、光源側筒部４７１Ｃは、内筒体４３Ｃの貫通孔４３７Ｃに対応した貫通孔を有する。
口金側筒部４７３Ｃの外周面には、口金８を取り付けるためのねじ山、口金８と電気回路９とを接続するケーブル用の溝が形成されている。
図示しない底部には、電気回路９に接続されたケーブル用の貫通孔（６３ｂ）や貫通溝（６３ａ）が設けられている。
なお、ここでは、外筒体４１Ｃと口金側蓋体４７Ｃとは別体であったが、一体化してもよい。
【００４９】
５．電気回路
実施形態では口金８から光源モジュール２用の直流電力を受電している。しかしながら、電気回路は、例えば、口金から交流電力を受電する場合、光源モジュール用の直流電力に変換するように回路構成されてもよい。
また、口金から受電する電力が、すでに保護回路を通したものでる場合、照明装置は電気回路を有しなくてもよい。
【符号の説明】
【００５０】
１    照明装置
２    光源モジュール
４    バルブ体
４ａ  収容空間
６    アダプタ
８    口金
９    電気回路
２１    ＬＥＤ
２３    配線体
４１    外筒体
４３    内筒体
４５    頂部側蓋体
４７    口金側蓋体
４７５ａ  貫通孔
【図１】
2018181738.tif 000003
【図２】
2018181738.tif 000004
【図３】
2018181738.tif 000005
【図４】
2018181738.tif 000006
【図５】
2018181738.tif 000007
【図６】
2018181738.tif 000008
【図７】
2018181738.tif 000009
【図８】
2018181738.tif 000010
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
第１方向に延伸する外筒部と、
前記第１方向に延伸し且つ前記外筒部内に配される内筒部と、
前記外筒部と前記内筒部とにおける前記第１方向の両端であって前記外筒部と前記内筒部との間を塞ぐ蓋部と、
前記内筒部と前記外筒部と前記蓋部とで形成される空間内に配されている光源モジュールと
を備え、
前記光源モジュールは、金属板を環状に屈曲した短環状片が前記第１方向に間隔をおいて複数配され且つ前記第１方向に隣接する前記短環状片同士がＬＥＤにより連結されている
照明装置。
【請求項２】
第１方向に延伸する外筒部と、
前記第１方向に延伸し且つ前記外筒部内に配される内筒部と、
前記外筒部と前記内筒部とにおける前記第１方向の両端であって前記外筒部と前記内筒部との間を塞ぐ蓋部と、
前記内筒部と前記外筒部と前記蓋部とで形成される空間内に配されている光源モジュールと
を備え、
前記光源モジュールは、金属板により構成された横断面形状が多角形である短環状片が前記第１方向に間隔をおいて複数配され且つ前記第１方向に隣接する前記短環状片同士がＬＥＤにより連結されている
照明装置。
【請求項３】
前記ＬＥＤの光出射方向が前記外筒部側であり、
前記外筒部は透光性を有する
請求項１又は２に記載の照明装置。
【請求項４】
前記外筒部と前記内筒部との前記第１方向の一端側に位置する一端側蓋部は有底筒状をし、当該一端側蓋部は、筒部分における底部分と反対側の端面が前記外筒部と前記内筒部の一端側の端面に当接すると共に前記内筒部の内部の空間に連通する貫通孔を前記筒部分に有し、
前記外筒部と前記内筒部との前記第１方向の他端側に位置する他端側蓋部は、前記外筒部と前記内筒部の他端側の端面に当接すると共に前記内筒部の内部の空間に連通する貫通孔を有する
請求項１〜３の何れか１項に記載の照明装置。
【請求項５】
前記一端側蓋部には、口金が装着されるアダプタが取付けられ、
当該アダプタに、前記口金を介して受電して前記光源モジュールを点灯させるための電気回路が収容されている
請求項４に記載の照明装置。
【請求項６】
前記一端側蓋部は、前記光源モジュールと前記電気回路とを接続するケーブル用の通路を前記筒部分と底部分とに跨るように有する
請求項５に記載の照明装置。